(57)【要約】本発明が開示する入力ソフトにおけるアカウント管理機能の集積方法は、ユーザによって入力ソフトの設定画面で１つまたは複数のサービスのアカウント情報が設定されるステップ（Ｓ１１）と、ユーザによって入力ソフトの設定画面で各アカウント情報を読み取る際の認証方式が設定され、設定される認証方式は既存のアカウント認証方式とはバインディングされるステップ（Ｓ１２）と、ユーザがサービスＡを使用するにあたり、ログイン画面で入力ソフトを起動して、入力ソフトのパスワード管理画面でサービスＡのアカウント情報の項目を選択するステップ（Ｓ２１）と、ユーザが認証コードを入力し、認証が成功するとサービスＡのアカウント名とパスワードを読み取り、サービスＡプログラムのログイン画面に受け渡すステップ（Ｓ２２）とを含む。本発明の方法では、アカウントパスワードの安全な保存と、アカウントパスワードの簡便かつ迅速な入力の双方が可能となる。【選択図】図３
2014502398.tif 000002
【特許請求の範囲】
【請求項１】
入力ソフトにおけるアカウント管理機能の集積方法であって、
ユーザが入力ソフトの設定画面においてサービスＡのアカウント情報を追加するステップ１０１と、ユーザが入力ソフトの設定画面においてアカウント情報を読み取る際の認証方式を設定するステップ１０２とを含むアカウント情報追加ステップ、および、
ユーザがサービスＡを使用するにあたり、ログイン画面において入力ソフトを起動し、入力ソフトのパスワード管理画面でサービスＡのアカウント情報の項目を選択するステップ２０１と、ユーザが認証コードを入力し、認証が完了すると、サービスＡのアカウント名とパスワードを読み取り、サービスＡプログラムのログイン画面に受け渡すステップ２０２とを含むアカウント情報読み取りステップ、を含み、
前記ステップ１０１において、入力ソフトは通常の入力時に起動し、あるいは、ユーザが起動命令を発して入力ソフトを起動して設定画面に進み、設定画面において、ユーザはサービスＡのアカウント名、アカウントパスワード情報をアカウントリストへ追加し、
前記ステップ１０２では、ユーザが入力ソフトを用いてアカウント名およびパスワードを迅速に入力する際に認証を必要とするべく、ユーザがサービスＡのアカウント情報の追加を完了すると、ユーザに対し身分認証方式を設定するよう要求し、
認証方式の設定が完了すると、ユーザはサービスＡのアカウント情報を読み取る際に、当該身分認証方式を通過しなければサービスＡのアカウント情報を読み取ることができなくなり、うち、設定される前記身分認証方式は、既存のアカウント認証方式とはバインディングされ、
身分認証方式は、ユーザにより数桁のキャラクターを認証コードとして設定する方式１と、ユーザがパネル領域内にイメージを描き、入力ソフトにより、ユーザの描いたイメージの軌跡や描画速度の情報を認証コードとして保存する方式２と、音声認識または／および指紋認証を含む生体情報認証である方式３のうちの１つまたは複数であり、
ユーザは、保存する各種サービスのアカウント情報について一種類の認証方式を設定して用いるか、または、任意の複数のサービスそれぞれについて異なる認証方式を用い、
前記ステップ２０１では、ユーザがサービスＡを起動すると、ログイン画面に対しサービスＡのアカウント名とアカウントパスワードの入力が必要となり、
このとき、入力ソフト画面上のキーが起動してパスワード入力モードに進み、このモードにおいて、ユーザが設定したすべてのアカウント情報のリストが表示され、ユーザがサービスＡのアカウント情報の項目をタップすると、対応する認証画面が表示され、
前記ステップ２０２では、ユーザが認証情報を入力して身分認証を通過すると、サービスＡのアカウント名とアカウントパスワードがサービスＡプログラムのログイン画面に受け渡され、
前記ステップ２０２において、認証画面としては、ユーザがアカウント情報を保存する際に設定した身分認証方式に基づき異なる認証画面が表示され、
当該異なる認証画面とは、
ユーザが数桁の文字や数字等のキャラクターを認証コードとして設定した場合、ユーザが認証コード情報を入力できるように、文字や数字等のキャラクター・キーパネルが表示される画面１と、
ユーザがイメージ描画方式を認証コードとして選択した場合には、ユーザがパネルをタッチしてイメージを描画することで身分認証が行えるように、イメージ描画領域が表示される画面２と、
音声入力画面または指紋入力画面を表示してユーザの認証情報を取得する画面３、であって、
前記ステップ２０２において、ユーザが身分認証を通過できなかった場合には、サービスＡのアカウント情報はサービスＡソフトのログイン画面に受け渡されず、
ユーザが複数回連続して身分認証を通過できなかった場合、入力ソフトは、ユーザがサービスＡのアカウント情報を再び読み取ることを拒絶することを特徴とする入力ソフトにおけるアカウント管理機能の集積方法。
【請求項２】
入力ソフトにおけるアカウント管理機能の集積方法であって、
ユーザが入力ソフトの設定画面においてサービスＡのアカウント情報を追加するステップ１０１と、ユーザが入力ソフトの設定画面においてアカウント情報を読み取る際の認証方式を設定するステップ１０２とを含むアカウント情報追加ステップ、および、
ユーザがサービスＡを使用するにあたり、ログイン画面において入力ソフトを起動し、入力ソフトのパスワード管理画面でサービスＡのアカウント情報の項目を選択するステップ２０１と、ユーザが認証コードを入力し、サービスＡのアカウント名とパスワードを読み取り、サービスＡプログラムのログイン画面に受け渡すステップ２０２とを含むアカウント情報読み取りステップ、を含むことを特徴とする入力ソフトにおけるアカウント管理機能の集積方法。
【請求項３】
前記ステップ１０１において、入力ソフトは通常の入力時に起動し、あるいは、ユーザが起動命令を発して入力ソフトを起動して設定画面に進み、設定画面において、ユーザはサービスＡのアカウント名、アカウントパスワード情報をアカウントリストへ追加することを特徴とする請求項２に記載の入力ソフトにおけるアカウント管理機能の集積方法。
【請求項４】
前記ステップ１０２では、ユーザが入力ソフトを用いてアカウント名およびパスワードを迅速に入力する際に認証を必要とするべく、ユーザがサービスＡのアカウント情報の追加を完了すると、ユーザに対し身分認証方式を設定するよう要求し、
認証方式の設定が完了すると、ユーザはサービスＡのアカウント情報を読み取る際に、当該身分認証方式を通過しなければサービスＡのアカウント情報を読み取ることができなくなり、うち、設定される前記身分認証方式は、既存のアカウント認証方式とはバインディングされ、
身分認証方式は、ユーザにより数桁のキャラクターを認証コードとして設定する方式１と、ユーザがパネル領域内にイメージを描き、入力ソフトにより、ユーザの描いたイメージの軌跡や描画速度の情報を認証コードとして保存する方式２と、音声認識または／および指紋認証を含む生体情報認証である方式３のうちの１つまたは複数であり、
ユーザは、保存する各種サービスのアカウント情報について一種類の認証方式を設定して用いるか、または、任意の複数のサービスそれぞれについて異なる認証方式を用いることを特徴とする請求項２に記載の入力ソフトにおけるアカウント管理機能の集積方法。
【請求項５】
前記ステップ２０１では、ユーザがサービスＡを起動すると、ログイン画面に対しサービスＡのアカウント名とアカウントパスワードの入力が必要となり、
このとき、入力ソフト画面上のキーが起動してパスワード入力モードに進み、このモードにおいて、ユーザが設定したすべてのアカウント情報のリストが表示され、ユーザがサービスＡのアカウント情報の項目をクリックすると、対応する認証画面が表示されることを特徴とする請求項２に記載の入力ソフトにおけるアカウント管理機能の集積方法。
【請求項６】
前記ステップ２０２では、ユーザが認証情報を入力して身分認証を通過すると、サービスＡのアカウント名とアカウントパスワードがサービスＡプログラムのログイン画面に受け渡され、
前記ステップ２０２において、認証画面としては、ユーザがアカウント情報を保存する際に設定した身分認証方式に基づき異なる認証画面が表示され、
当該異なる認証画面とは、
ユーザが数桁の文字や数字等のキャラクターを認証コードとして設定した場合、ユーザが認証コード情報を入力できるように、文字や数字等のキャラクター・キーパネルが表示される画面１と、
ユーザがイメージ描画方式を認証コードとして選択した場合には、ユーザがパネルをタッチしてイメージを描画することで身分認証が行えるように、イメージ描画領域が表示される画面２と、
音声入力画面または指紋入力画面を表示してユーザの認証情報を取得する画面３、であることを特徴とする請求項２に記載の入力ソフトにおけるアカウント管理機能の集積方法。
【請求項７】
前記ステップ２０２において、ユーザが身分認証を通過できなかった場合には、サービスＡのアカウント情報はサービスＡソフトのログイン画面に受け渡されず、
ユーザが複数回連続して身分認証を通過できなかった場合、入力ソフトは、ユーザがサービスＡのアカウント情報を再び読み取ることを拒絶することを特徴とする請求項２に記載の入力ソフトにおけるアカウント管理機能の集積方法。
【請求項８】
入力ソフトにおけるアカウント管理機能の集積方法であって、
ユーザによって、入力ソフトの設定画面で１つまたは複数のサービスのアカウント情報が設定されるステップＳ１１と、ユーザによって、入力ソフトの設定画面で各アカウント情報を読み取る際の認証方式が設定され、設定される認証方式は既存のアカウント認証方式とはバインディングされるステップＳ１２とを含むアカウント情報設定ステップ、および、
ユーザがサービスＡを使用するにあたり、ログイン画面で入力ソフトを起動して、入力ソフトのパスワード管理画面でサービスＡのアカウント情報の項目を選択するステップＳ２１と、ユーザが認証コードを入力し、認証が成功するとサービスＡのアカウント名とパスワードを読み取り、サービスＡプログラムのログイン画面に受け渡すステップＳ２２とを含むアカウント情報読み取りステップ、を含むことを特徴とする入力ソフトにおけるアカウント管理機能の集積方法。
【請求項９】
前記ステップＳ１１において、入力ソフトは通常の入力時に起動し、あるいは、ユーザが起動命令を発して入力ソフトを起動して設定画面に進み、設定画面において、ユーザは各サービスのアカウント名、アカウントパスワード情報をアカウントリストへ追加するとともに、これを修正、削除可能であり、
前記ステップＳ１２では、ユーザが入力ソフトを用いてアカウント名およびパスワードを迅速に入力する際に認証を必要とするべく、ユーザがサービスＡのアカウント情報の追加を完了すると、ユーザに対し身分認証方式の設定をするよう要求し、
認証方式の設定が完了すると、ユーザはサービスＡのアカウント情報を読み取る際に、当該身分認証方式を通過しなければサービスＡのアカウント情報を読み取ることができなくなり、うち、設定される前記身分認証方式は、既存のアカウント認証方式とはバインディングされ、
身分認証方式は、ユーザにより数桁のキャラクターを認証コードとして設定する方式１と、ユーザがパネル領域内にイメージを描き、入力ソフトにより、ユーザの描いたイメージの軌跡や描画速度の情報を認証コードとして保存する方式２と、音声認識または／および指紋認証を含む生体情報認証である方式３のうちの１つまたは複数であり、
ユーザは、保存する各種サービスのアカウント情報について一種類の認証方式を設定して用いるか、または、任意の複数のサービスそれぞれについて異なる認証方式を用い、
前記ステップＳ２１では、ユーザがサービスＡを起動すると、ログイン画面に対しサービスＡのアカウント名とアカウントパスワードの入力が必要となり、
このとき、入力ソフト画面上のキーが起動してパスワード入力モードに進み、このモードにおいて、ユーザが設定したすべてのアカウント情報のリストが表示され、ユーザがサービスＡのアカウント情報の項目をクリックすると、対応する認証画面が表示され、
前記ステップＳ２２では、ユーザが認証情報を入力して身分認証を通過すると、サービスＡのアカウント名とアカウントパスワードがサービスＡプログラムのログイン画面に受け渡され、
前記ステップＳ２２において、認証画面としては、ユーザがアカウント情報を保存する際に設定した身分認証方式に基づき異なる認証画面が表示され、
当該異なる認証画面とは、
ユーザが数桁の文字や数字等のキャラクターを認証コードとして設定した場合、ユーザが認証コード情報を入力できるように、文字や数字等のキャラクター・キーパネルが表示される画面１と、
ユーザがイメージ描画方式を認証コードとして選択した場合には、ユーザがパネルをタッチしてイメージを描画することで身分認証が行えるように、イメージ描画領域が表示される画面２と、
音声入力画面または指紋入力画面を表示してユーザの認証情報を取得する画面３、であって、
前記ステップＳ２２において、ユーザが身分認証を通過できなかった場合には、サービスＡのアカウント情報はサービスＡソフトのログイン画面に受け渡されず、
ユーザが複数回連続して身分認証を通過できなかった場合、入力ソフトは、ユーザがサービスＡのアカウント情報を再び読み取ることを拒絶することを特徴とする請求項８に記載の入力ソフトにおけるアカウント管理機能の集積方法。
【発明の詳細な説明】
【技術分野】
【０００１】
本発明は、コンピューター・ソフトウエア分野におけるアカウント管理方法に関し、特に、入力ソフトにおけるアカウント機能の集積方法に関する。
【背景技術】
【０００２】
ハードウエア技術の進展に伴い、各種モバイル機器が人々の生活に影響するようになっている。現在、携帯電話は人々の日常生活においてほとんど必需品といってもよく、ＭＩＤ（Ｍｏｂｉｌｅ  Ｉｎｔｅｒｎｅｔ  Ｄｅｖｉｃｅｓ）や小型タブレットパソコン等も一般人の生活に入り込みつつある。また、これに応じて、各種ソフトウエアサービスやネットワークサービスが続々と出現している。人々が携帯電話等のモバイル機器でメールボックス、ウェブサイト、ＩＭ（Ｉｎｓｔａｎｔ  Ｍｅｓｓｅｎｇｅｒ）ソフトにアクセスしたり、ネットバンク、アリペイ（ａｌｉｐａｙ）、Ｐａｙｐａｌ等のサービスにログインしたりする場合には、アカウントパスワードを入力しないわけにはいかない。セキュリティーを考慮して、通常はアカウントごとに異なるパスワードが設定されるが、パスワードが多くなると混同しやすく、忘れてしまうこともある。
【０００３】
そこで、モバイル機器のアカウントパスワード管理ソフトによって、アカウントパスワードの保存と管理を補助することができる。しかし、モバイル機器では、アカウントパスワードの入力が必要な場合に、アカウント名とパスワードを簡便にテキストボックスへ入力することは今のところ実現できていない。
【０００４】
入力ソフトは、モバイル機器、特にハードキーを備えないモバイル機器にとってたいへん重要なソフトウエアである。入力ソフトは、ユーザに対して、文字、数字、記号、ピンイン、字画等の入力方式を提供する。モバイル機器において文字入力を行う際には、ほとんどすべての場合に入力ソフトを必要とする。
【発明の概要】
【発明が解決しようとする課題】
【０００５】
本発明は、アカウントパスワードの安全な保存と、アカウントパスワードの簡便かつ迅速な入力の双方を可能とする、入力ソフトにおけるアカウント管理機能の集積方法を提供することを解決すべき課題とする。
【課題を解決するための手段】
【０００６】
上記の技術的課題を解決するために、本発明は以下の技術方案を用いた。
【０００７】
入力ソフトにおけるアカウント管理機能の集積方法であって、ユーザが入力ソフトの設定画面においてサービスＡのアカウント情報を追加するステップ１０１と、ユーザが入力ソフトの設定画面においてアカウント情報を読み取る際の認証方式を設定するステップ１０２とを含むアカウント情報追加ステップ、および、ユーザがサービスＡを使用するにあたり、ログイン画面において入力ソフトを起動し、入力ソフトのパスワード管理画面でサービスＡのアカウント情報の項目を選択するステップ２０１と、ユーザが認証コードを入力し、サービスＡのアカウント名とパスワードを読み取り、サービスＡプログラムのログイン画面に受け渡すステップ２０２とを含むアカウント情報読み取りステップ、を含む。
【０００８】
本発明の望ましい方案として、前記ステップ１０１において、入力ソフトは通常の入力時に起動し、あるいは、ユーザが起動命令を発して入力ソフトを起動して設定画面に進み、設定画面において、ユーザはサービスＡのアカウント名、アカウントパスワード情報をアカウントリストへ追加する。
【０００９】
本発明の望ましい方案として、前記ステップ１０２では、ユーザが入力ソフトを用いてアカウント名およびパスワードを迅速に入力する際に認証を必要とするべく、ユーザがサービスＡのアカウント情報の追加を完了すると、ユーザに対し身分認証方式を設定するよう要求し、認証方式の設定が完了すると、ユーザはサービスＡのアカウント情報を読み取る際に、当該身分認証方式を通過しなければサービスＡのアカウント情報を読み取ることができなくなり、うち、設定される前記身分認証方式は、既存のアカウント認証方式とはバインディングされ、身分認証方式は、ユーザにより数桁のキャラクターを認証コードとして設定する方式１と、ユーザがパネル領域内にイメージを描き、入力ソフトにより、ユーザの描いたイメージの軌跡や描画速度の情報を認証コードとして保存する方式２と、音声認識または／および指紋認証を含む生体情報認証である方式３、のうちの１つまたは複数であり、ユーザは、保存する各種サービスのアカウント情報について一種類の認証方式を設定して用いるか、または、任意の複数のサービスそれぞれについて異なる認証方式を用いる。
【００１０】
本発明の望ましい方案として、前記ステップ２０１では、ユーザがサービスＡを起動すると、ログイン画面に対しサービスＡのアカウント名とアカウントパスワードの入力が必要となり、このとき、入力ソフト画面上のキーが起動してパスワード入力モードに進み、このモードにおいて、ユーザが設定したすべてのアカウント情報のリストが表示され、ユーザがサービスＡのアカウント情報の項目をクリップすると、対応する認証画面が表示される。
【００１１】
本発明の望ましい方案として、前記ステップ２０２では、ユーザが認証情報を入力して身分認証を通過すると、サービスＡのアカウント名とアカウントパスワードがサービスＡプログラムのログイン画面に受け渡され、前記ステップ２０２において、認証画面としては、ユーザがアカウント情報を保存する際に設定した身分認証方式に基づき異なる認証画面が表示され、当該異なる認証画面とは、ユーザが数桁の文字や数字等のキャラクターを認証コードとして設定した場合、ユーザが認証コード情報を入力できるように、文字や数字等のキャラクター・キーパネルが表示される画面１と、ユーザがイメージ描画方式を認証コードとして選択した場合には、ユーザがパネルをタッチしてイメージを描画することで身分認証が行えるように、イメージ描画領域が表示される画面２と、音声入力画面または指紋入力画面を表示してユーザの認証情報を取得する画面３である。
【００１２】
本発明の望ましい方案として、前記ステップ２０２において、ユーザが身分認証を通過できなかった場合には、サービスＡのアカウント情報はサービスＡソフトのログイン画面に受け渡されず、ユーザが複数回連続して身分認証を通過できなかった場合、入力ソフトは、ユーザがサービスＡのアカウント情報を再び読み取ることを拒絶する。
【００１３】
入力ソフトにおけるアカウント管理機能の集積方法であって、ユーザによって、入力ソフトの設定画面で１つまたは複数のサービスのアカウント情報が設定されるステップＳ１１と、ユーザによって、入力ソフトの設定画面で各アカウント情報を読み取る際の認証方式が設定され、設定される認証方式は既存のアカウント認証方式とはバインディングされるステップＳ１２とを含むアカウント情報設定ステップ、および、ユーザがサービスＡを使用するにあたり、ログイン画面で入力ソフトを起動して、入力ソフトのパスワード管理画面でサービスＡのアカウント情報の項目を選択するステップＳ２１と、ユーザが認証コードを入力し、認証が成功するとサービスＡのアカウント名とパスワードを読み取り、サービスＡプログラムのログイン画面に受け渡すステップＳ２２とを含むアカウント情報読み取りステップ、を含む。
【００１４】
本発明の望ましい方案として、前記ステップＳ１１において、入力ソフトは通常の入力時に起動し、あるいは、ユーザが起動命令を発して入力ソフトを起動して設定画面に進み、設定画面において、ユーザは各サービスのアカウント名、アカウントパスワード情報をアカウントリストへ追加するとともに、これを修正、削除可能であり、前記ステップＳ１２では、ユーザが入力ソフトを用いてアカウント名およびパスワードを迅速に入力する際に認証を必要とするべく、ユーザがサービスＡのアカウント情報の追加を完了すると、ユーザに対し身分認証方式の設定をするよう要求し、認証方式の設定が完了すると、ユーザはサービスＡのアカウント情報を読み取る際に、当該身分認証方式を通過しなければサービスＡのアカウント情報を読み取ることができなくなり、うち、設定される前記身分認証方式は、既存のアカウント認証方式とはバインディングされ、身分認証方式は、ユーザにより数桁のキャラクターを認証コードとして設定する方式１と、ユーザがパネル領域内にイメージを描き、入力ソフトにより、ユーザの描いたイメージの軌跡や描画速度の情報を認証コードとして保存する方式２と、音声認識または／および指紋認証を含む生体情報認証である方式３、のうちの１つまたは複数であり、ユーザは、保存する各種サービスのアカウント情報について一種類の認証方式を設定して用いるか、または、任意の複数のサービスそれぞれについて異なる認証方式を用い、前記ステップＳ２１では、ユーザがサービスＡを起動すると、ログイン画面に対しサービスＡのアカウント名とアカウントパスワードの入力が必要となり、このとき、入力ソフト画面上のキーが起動してパスワード入力モードに進み、このモードにおいて、ユーザが設定したすべてのアカウント情報のリストが表示され、ユーザがサービスＡのアカウント情報の項目をクリップすると、対応する認証画面が表示され、前記ステップＳ２２では、ユーザが認証情報を入力して身分認証を通過すると、サービスＡのアカウント名とアカウントパスワードがサービスＡプログラムのログイン画面に受け渡され、前記ステップＳ２２において、認証画面としては、ユーザがアカウント情報を保存する際に設定した身分認証方式に基づき異なる認証画面が表示され、当該異なる認証画面とは、ユーザが数桁の文字や数字等のキャラクターを認証コードとして設定した場合、ユーザが認証コード情報を入力できるように、文字や数字等のキャラクター・キーパネルが表示される画面１と、ユーザがイメージ描画方式を認証コードとして選択した場合には、ユーザがパネルをタッチしてイメージを描画することで身分認証が行えるように、イメージ描画領域が表示される画面２と、音声入力画面または指紋入力画面を表示してユーザの認証情報を取得する画面３であって、前記ステップＳ２２において、ユーザが身分認証を通過できなかった場合には、サービスＡのアカウント情報はサービスＡソフトのログイン画面に受け渡されず、ユーザが複数回連続して身分認証を通過できなかった場合、入力ソフトは、ユーザがサービスＡのアカウント情報を再び読み取ることを拒絶する。
【００１５】
本発明が用いる技術方案としては、以下を含む。
入力ソフト：文字、数字、記号による入力、あるいは、ピンイン、字画、手書き等の入力方式をサポートする。また、アカウントリストの表示やアカウント解読ができるよう、入力画面のカスタマイズ表示をサポートする。なお、画面でのタップ入力にはモバイル機器のサポートが必要である。
暗号化／解読技術：ユーザが記憶したアカウント情報の暗号化に用いられ、ユーザがアカウント情報を読み取る際には解読を行う。
身分認証技術：ユーザがアカウント情報を読み取る際に、認証コードの入力、あるいはイメージの描画等を求めて身分認証を行うことで、他人にアカウント情報を読み取られる事態を防ぐ。
ローカルストレージ：暗号化されたユーザのアカウント情報を、ファイル形式あるいはデータベースなど他の形式で保存する。
【発明の効果】
【００１６】
本発明では、以下の有益な効果を得られる。
本発明が提起する入力ソフトにおけるアカウント管理機能の集積方法では、アカウントの管理と入力ソフトを一つに集積することで、パスワードの安全な保存と迅速な入力という目的を達成可能である。入力ソフトには各種サービスのアカウント情報を追加可能であるため、ユーザはサービスにログインする際に、入力ソフトをダイレクトに数回クリックするだけで、サービスのアカウント名とアカウントパスワードをサービスプログラムのログインボックスに入力することができる。集積後の入力ソフトにはアカウント情報読み取り時の認証方式を設定可能であるため、認証を通過しなければアカウント情報を読み取れないようにすることができる。認証方式としては、従来型といえる数桁の文字列を用いるものや、タッチパネルを使ってイメージを描画する方式を用いればよく、これによりアカウント情報の安全が確保される。
【図面の簡単な説明】
【００１７】
【図１】本発明の方法でアカウント情報を設定するステップを示すフローチャートである。
【図２】本発明の方法でアカウント情報を読み取るステップを示すフローチャートである。
【図３】本発明における実施例２の方法を示すフローチャートである。
【発明を実施するための形態】
【００１８】
以下に、図面を参照して本発明の望ましい実施例を説明する。
【実施例１】
【００１９】
本発明は、入力ソフトへのアカウント管理機能の追加を開示するものであって、ユーザによるアカウントパスワードの迅速な追加・修正・削除を可能とするとともに、アカウントパスワードの暗号化保存機能を提供する。また、ユーザがアカウントパスワード情報を必要とするサービスにアクセスする際に、認証を行うとともに、迅速なアカウントおよびパスワードの入力機能を実現する。本方法は、ユーザによるアカウントパスワード情報の保存を補助すると同時に、アカウントパスワード情報の迅速な入力を可能とするものである。
【００２０】
本発明は、携帯電話、Ｍｉｄ等のモバイル端末に適用可能であり、言うまでもなく、パソコンおよびその他電子機器にも適用可能である。
【００２１】
図１および図２を参照して、本発明が開示する入力ソフトにおけるアカウント管理機能の集積方法は、以下のステップを含む。
【００２２】
＜操作１＞アカウント情報追加ステップは、ユーザが入力ソフトの設定画面においてサービスＡのアカウント情報を追加するステップ１０１と、ユーザが入力ソフトの設定画面においてアカウント情報を読み取る際の認証方式を設定するステップ１０２と、終了のためのステップ１０３とを含む。
【００２３】
前記ステップ１０１において、入力ソフトのプログラムは通常の入力時に起動するだけでなく、ユーザは、他の場合にも入力ソフトを起動して設定画面に進むことができる。設定画面において、ユーザはサービスＡのアカウント名、アカウントパスワード等の情報をアカウントリストへ追加可能である。
【００２４】
前記ステップ１０２では、ユーザが入力ソフトを用いてアカウント名およびパスワードを迅速に入力する際に認証を必要とすることで、携帯電話を紛失した場合に、誰もが記憶されているアカウント情報を読み取り可能となる事態が防止される。このため、ユーザがサービスＡのアカウント情報の追加を完了すると、ユーザは身分認証方式を設定するよう要求される。そして、認証方式の設定が完了すると、ユーザはサービスＡのアカウント情報を読み取る際に、この身分認証方式を通過しなければサービスＡのアカウント情報を読み取ることができなくなる。身分認証方式としては、次のいくつかが考えられる。
【００２５】
方式１：ユーザにより、数桁の文字および数字等のキャラクターを認証コードとして設定する。
方式２：ユーザがパネル領域内にイメージを描き、入力ソフトのプログラムにより、ユーザの描いたイメージの軌跡や描画速度等の情報を認証コードとして保存する。
方式３：音声識別、指紋認証等のその他の方式。
ユーザは、保存する各種サービスのアカウント情報について一種類の認証方式を設定して用いてもよいし、任意の複数のサービスそれぞれについて異なる認証方式を用いてもよい。例えば、銀行のアカウントについてはより複雑な認証方式を設定するなどとしてもよい。
【００２６】
＜操作２＞アカウント情報読み取りステップは、ユーザがサービスＡを使用するにあたり、ログイン画面において入力ソフトを起動し、入力ソフトのパスワード管理画面でサービスＡのアカウント情報の項目を選択するステップ２０１と、ユーザが認証コードを入力し、サービスＡのアカウント名とパスワードを読み取り、サービスＡプログラムのログイン画面に受け渡すステップ２０２と、終了のためのステップ２０３とを含む。
【００２７】
前記ステップ２０１では、ユーザがサービスＡを起動すると、ログイン画面に対しサービスＡのアカウント名とアカウントパスワードの入力が必要となる。このとき、ユーザは入力ソフト（通常のモバイル機器では、アカウント名あるいはパスワードのテキスト入力ボックスがフォーカスされると、自動的に入力ソフト画面がポップアップする）画面上のキーを起動して、パスワード入力モードに進むことができる。このモードでは、ユーザが設定したすべてのアカウント情報のリストが表示される。そして、ユーザがサービスＡのアカウント情報の項目をクリックすると、対応する認証画面が表示される。
【００２８】
前記ステップ２０２では、ユーザが認証情報を入力して身分認証を通過すると、サービスＡのアカウント名とアカウントパスワードをサービスＡプログラムのログイン画面に受け渡すことが可能となる。
【００２９】
前記ステップ２０２において、認証画面としては、ユーザがアカウント情報を保存する際に設定した身分認証方式に基づき、以下のような異なる認証画面が表示される。
【００３０】
画面１：ユーザが数桁の文字や数字等のキャラクターを認証コードとして設定した場合、ユーザが認証コード情報を入力できるように、文字や数字等のキャラクター・キーパネルが表示される。
画面２：ユーザがイメージ描画方式を認証コードとして選択した場合には、ユーザがパネルをタッチしてイメージを描画することで身分認証が行えるように、イメージ描画領域が表示される。
画面３：音声入力画面や指紋入力画面などを表示して、ユーザの認証情報を取得してもよい。
【００３１】
前記ステップ２０２において、ユーザが身分認証を通過できなかった場合には、サービスＡのアカウント情報はサービスＡソフトのログイン画面に受け渡されない。
【００３２】
前記ステップ２０２において、ユーザが複数回連続して身分認証を通過できなかった場合、入力ソフトのプログラムは、ユーザがサービスＡのアカウント情報を再び読み取ることを拒絶してもよい。
【００３３】
以上述べたように、本発明が提起する入力ソフトにおけるアカウント管理機能の集積方法では、アカウントの管理と入力ソフトを一つに集積することで、パスワードの安全な保存と迅速な入力という目的を達成可能である。入力ソフトに各種サービスのアカウント情報を追加可能であるため、ユーザはサービスにログインする際に、入力ソフトをダイレクトに数回クリップするだけで、サービスのアカウント名とアカウントパスワードをサービスプログラムのログインボックスに入力することができる。集積後の入力ソフトにはアカウント情報読み取り時の認証方式を設定可能であるため、認証を通過しなければアカウント情報を読み取れないようにすることができる。認証方式としては、従来型といえる数桁の文字列を用いるものや、タッチパネルを使ってイメージを描画する方式を用いればよく、これによりアカウント情報の安全が確保される。
【実施例２】
【００３４】
図３を参照して、入力ソフトにおけるアカウント管理機能の集積方法は、以下のステップを含む。
【００３５】
＜アカウント情報設定ステップ＞
アカウント情報設定ステップは、ユーザによって、入力ソフトの設定画面で１つまたは複数のサービスのアカウント情報が設定されるステップＳ１１と、ユーザによって、入力ソフトの設定画面で各アカウント情報を読み取る際の認証方式が設定され、設定される認証方式は既存のアカウント認証方式とはバインディング（Ｂｉｎｄｉｎｇ）されるステップＳ１２とを含む。
【００３６】
前記ステップＳ１１において、入力ソフトは通常の入力時に起動する。あるいは、ユーザは起動命令を発して入力ソフトを起動し、設定画面に進む。設定画面において、ユーザは各サービスのアカウント名、アカウントパスワード情報をアカウントリストへ追加するとともに、これを修正、削除可能である。
【００３７】
前記ステップＳ１２では、ユーザが入力ソフトを用いてアカウント名およびパスワードを迅速に入力する際に認証を必要とするべく、ユーザがサービスＡのアカウント情報の追加を完了すると、ユーザに対し身分認証方式を設定するよう要求する。認証方式の設定が完了すると、ユーザはサービスＡのアカウント情報を読み取る際に、当該身分認証方式を通過しなければサービスＡのアカウント情報を読み取ることができなくなる。なお、設定される当該身分認証方式は、既存のアカウント認証方式とはバインディングされる。
【００３８】
身分認証方式としては、例えば次の方式のうちの１つまたは複数である。
方式１：ユーザにより、数桁のキャラクターを認証コードとして設定する。
方式２：ユーザがパネル領域内にイメージを描き、入力ソフトにより、ユーザの描いたイメージの軌跡や描画速度の情報を認証コードとして保存する。
方式３：音声認識や指紋認証を含む生体情報認証。
ユーザは、保存する各種サービスのアカウント情報について一種類の認証方式を設定して用いてもよいし、任意の複数のサービスそれぞれについて異なる認証方式を用いてもよい。
【００３９】
＜アカウント情報読み取りステップ＞
当該アカウント情報読み取りステップは、ユーザがサービスＡを使用するにあたり、ログイン画面で入力ソフトを起動して、入力ソフトのパスワード管理画面でサービスＡのアカウント情報の項目を選択するステップＳ２１と、ユーザが認証コードを入力し、認証が成功するとサービスＡのアカウント名とパスワードを読み取り、サービスＡプログラムのログイン画面に受け渡すステップＳ２２とを含む。
【００４０】
前記ステップＳ２１では、ユーザがサービスＡを起動すると、ログイン画面に対しサービスＡのアカウント名とアカウントパスワードの入力が必要となる。このとき、入力ソフト画面上のキーが起動してパスワード入力モードに進む。このモードでは、ユーザが設定したすべてのアカウント情報のリストが表示される。そして、ユーザがサービスＡのアカウント情報の項目をクリックすると、対応する認証画面が表示される。
【００４１】
前記ステップＳ２２では、ユーザが認証情報を入力して身分認証を通過すると、サービスＡのアカウント名とアカウントパスワードがサービスＡプログラムのログイン画面に受け渡される。前記ステップＳ２２において、認証画面としては、ユーザがアカウント情報を保存する際に設定した身分認証方式に基づき、以下のような異なる認証画面が表示される。
【００４２】
画面１：ユーザが数桁の文字や数字等のキャラクターを認証コードとして設定した場合、ユーザが認証コード情報を入力できるように、文字や数字等のキャラクター・キーパネルが表示される。
画面２：ユーザがイメージ描画方式を認証コードとして選択した場合には、ユーザがパネルをタッチしてイメージを描画することで身分認証が行えるように、イメージ描画領域が表示される。
画面３：音声入力画面や指紋入力画面を表示して、ユーザの認証情報を取得する。
【００４３】
前記ステップＳ２２において、ユーザが身分認証を通過できなかった場合には、サービスＡのアカウント情報はサービスＡソフトのログイン画面に受け渡されない。また、ユーザが複数回連続して身分認証を通過できなかった場合、入力ソフトは、ユーザがサービスＡのアカウント情報を再び読み取ることを拒絶する。
【００４４】
なお、本発明における記載および応用は説明のためのものであり、本発明の範囲を上記実施例に限定する意図はない。また、上記で開示した実施例は変形および変更が可能であり、当業者にとって、実施例の置き換えや等価の各部材は公知である。当業者にとって、本発明は、その趣旨または本質的特徴を逸脱しないことを前提に、他の形式、構造、配置、割合によって、また、他のモジュール、材料および部品の使用によって実現可能であることは自明である。本発明の範囲と趣旨を逸脱しなければ、上記で開示した実施例は変形および変更が可能である。
【図１】
2014502398.tif 000003
【図２】
2014502398.tif 000004
【図３】
2014502398.tif 000005
【国際調査報告】
2014502398.tif 000006
2014502398.tif 000007
2014502398.tif 000008
2014502398.tif 000009